(57)【要約】【課題】施工が容易で高い遮音性を得られる間仕切りパネル提供すること。【解決手段】２枚の石膏ボード２，２をスペーサーを兼ねた少なくとも２本の補強材３，３によって接合し、２枚の石膏ボードが間隔を開けて平行に配置された中空パネルとすると共に、該中空パネルの一方の長辺小口１ａから上記補強材３の幅方向一部３ａが突出し、且つ該中空パネルの他方の長辺小口１ｂに他のパネルに存在する前記突出した補強材の幅方向一部が嵌入し得る凹部４が形成されるように上記補強材３，３が上記２枚の石膏ボード２，２間に配置されている間仕切りパネル１とした。【選択図】        図１
2004176316.tif 000002
【特許請求の範囲】
【請求項１】
２枚の石膏ボードをスペーサーを兼ねた少なくとも２本の補強材によって接合し、２枚の石膏ボードが間隔を開けて平行に配置された中空パネルとすると共に、該中空パネルの一方の長辺小口から上記補強材の幅方向一部が突出し、且つ該中空パネルの他方の長辺小口に他のパネルに存在する前記突出した補強材の幅方向一部が嵌入し得る凹部が形成されるように上記補強材が上記２枚の石膏ボード間に配置されていることを特徴とする間仕切りパネル。
【請求項２】
請求項１記載の間仕切りパネルを複数枚使用し、ノンスタッド式で構築したことを特徴とする間仕切り壁。
【発明の詳細な説明】
【０００１】
【発明の属する技術分野】
本発明は、住宅などの隣接する部屋を区画する間仕切りパネル、及び該間仕切りパネルを用いて構築した間仕切り壁に関するものである。
【０００２】
【従来の技術】
石膏ボードを組み合わせることにより構築した間仕切り壁は、コスト面及び耐火性能、遮音性能等の品質面において他材に比べて優位にあることから、高層住宅、ホテル、病院等において広く利用させている。
【０００３】
ここで、石膏ボードを用いた間仕切り壁の構築方法には、下地間柱に石膏ボードを取り付けていくスタッド式と、下地間柱を設けず、石膏ボードを自立させて壁面を構築していくノンスタッド式とがあるが、近年、施工コスト及び遮音性能等を考慮し、ノンスタッド式が多く採用されている。
【０００４】
【発明が解決しようとする課題】
しかしながら、ノンスタッド式で間仕切り壁を構築する際には、区画を必要とする通常２．５〜３．５ｍある床面から上階床下面又は梁下面との間に石膏ボードを自立させる必要があり、石膏ボードの強度を確保するために補強材（力骨）の添設が必須となっていたと共に、この補強材の断面性能により自立し得る石膏ボードの長さが制限されていた。
【０００５】
また、隣接設置した石膏ボードの目地部には、石膏ボードの湾曲・捩れ等の変形、更には取付け時の誤差などにより隙間が生じ易く、隙間が生じた場合にはその隙間から漏音があり、遮音性能が著しく低下すると言う課題があった。
【０００６】
更に、ノンスタッド式で構築された壁面は、上記石膏ボードの湾曲・捩れ等の変形から不陸が生じ易く、石膏ボードを重ね貼りする場合、或いはクロス等の内装仕上げ材を貼る場合等にこの不陸に伴う凹凸が支障となっていた。
【０００７】
本発明は、上述した従来の技術が有する課題に鑑み成されたものであって、その目的は、施工が容易で高い遮音性を有し、且つ目地部の平滑性を得られる間仕切りパネル、及び該間仕切りパネル用いて構築した間仕切り壁を提供することにある。
【０００８】
【課題を解決するための手段】
本発明は、上記した目的を達成するため、２枚の石膏ボードをスペーサーを兼ねた少なくとも２本の補強材によって接合し、２枚の石膏ボードが間隔を開けて平行に配置された中空パネルとすると共に、該中空パネルの一方の長辺小口から上記補強材の幅方向一部が突出し、且つ該中空パネルの他方の長辺小口に他のパネルに存在する前記突出した補強材の幅方向一部が嵌入し得る凹部が形成されるように上記補強材が上記２枚の石膏ボード間に配置されている間仕切りパネルとした。
【０００９】
上記した本発明に係る間仕切りパネルによれば、２枚の石膏ボードをスペーサーを兼ねた少なくとも２本の補強材によって接合し、２枚の石膏ボードが間隔を開けて平行に配置された中空パネル構造としたため、単に石膏ボードの片面に同様の補強材を添設した場合に比して断面性能が格段に向上し、自立性が高く取扱いが容易なパネルとなると共に、同厚の石膏ボードを直に２枚貼り合わせた場合に比して中空部の存在により遮音性能の高いパネルとなる。
【００１０】
また、上記した本発明に係る間仕切りパネルによれば、一方の長辺小口から上記補強材の幅方向一部が突出し、且つ他方の長辺小口に他のパネルに存在する前記突出した補強材の幅方向一部が嵌入し得る凹部が形成されるように上記補強材が上記２枚の石膏ボード間に配置された構造としたため、該パネルを複数枚隣接設置する場合に、一方のパネルの補強材が突出した側の長辺小口と、他方のパネルの凹部が存在する側の長辺小口とを突き合わせることにより、容易に不陸のない平滑な目地部が確保できると共に、隣接設置する両パネルに跨がって存在する補強材により目地部に隙間が生じることがなく、遮音性能の高い壁面を構築することができる。
【００１１】
更に、上記した本発明に係る間仕切りパネルを複数枚使用し、ノンスタッド式で構築した間仕切り壁とすることにより、遮音性能が高く自立性の高い間仕切り壁を、安価に且つ容易に構築することができる。
【００１２】
【発明の実施の形態】
以下、上記した本発明に係る間仕切りパネル及び間仕切り壁の実施の形態を、図面を示して詳細に説明する。
【００１３】
図１及び図２は、本発明に係る間仕切りパネルの一実施の形態を示した斜視図及び断面図であり、この間仕切りパネル１は、２枚の石膏ボード２，２をスペーサーを兼ねた２本の補強材３，３によって接合し、２枚の石膏ボードが間隔を設けて平行に配置された中空パネル構造としたものである。
【００１４】
上記石膏ボード２，２は、壁面に用いられる長方形状の周知のものであり、また補強材３，３は、基本的には２枚の石膏ボード２，２の間に配置されて２枚の石膏ボードを互いに平行な状態で接合でき、且つある程度の剛性を有するものであればその材質は限定されず、例えば木材、鋼材、鉄板加工材、石膏ボード材などで形成された長尺な角材又はコ字形状材が使用できる。
【００１５】
上記石膏ボード２，２と補強材３，３とは、図示したように形成されるパネル１の一方の長辺小口１ａから補強材３の幅方向一部３ａが突出し、且つ他方の長辺小口１ｂに石膏ボード２，２間に凹部４が形成されるように配置され、例えば、ビス５或いは接着材等により接合されている。
【００１６】
そのため、上記本発明に係る間仕切りパネル１，１を隣接設置した目地部Ａは、図３に示したように一方のパネル１の長辺小口１ａから突出する補強材３の幅方向一部３ａが、隣接設置した他方のパネル１の長辺小口１ｂに存在する２枚の石膏ボード２，２間に形成される凹部４に挿入され、パネル１，１同士が接合される。即ち、一方のパネル１から突出した補強材３は、パネル１，１同士の接合部において二枚のパネル１，１に跨った状態で配置される。
【００１７】
上記構造の本発明に係る間仕切りパネル１は、工場等において予め製造しても良く、また現場において壁面の構築前に製造しても良い。
【００１８】
上記した本発明に係る間仕切りパネル１の形状・寸法としては、例えば、板厚１２．５ｍｍ、長さ２７００ｍｍ、幅６０６ｍｍの２枚の石膏ボード２，２を、厚さ１５ｍｍ、幅４０ｍｍ、長さ２７００ｍｍの断面コ字形状の軽量鉄骨からなる２本の補強材３，３によって接合し、板厚４０ｍｍ、長さ２７００ｍｍ、幅６０６ｍｍ、一方の長辺小口３ａから突出する補強材３の幅３ａが１２ｍｍとしたパネルが挙げられる。
【００１９】
次に、上記した本発明に係る間仕切りパネル１を用いて構築した本発明に係る間仕切り壁の実施の形態を説明する。
【００２０】
図４は、本発明に係る間仕切り壁の構築途中の一実施の形態を示した斜視図、図５は、構築した本発明に係る間仕切り壁の縦断面図、図６は、構築した本発明に係る間仕切り壁の横断面図である。
現場においては、先ず、間仕切り壁１０を構築する位置の床面１１及び上階床下面１２に各々下ライナー１３、上ライナー１４をビス１５，１５・・・により固定する。
【００２１】
次いで、本発明に係る間仕切りパネル１の下端部１ｃを下ライナー１３の一方の側板１３ａに当接し、建込んで間仕切りパネル１の下端部１ｃ及び上端部１ｄを各々下ライナー１３の側板１３ａ、上ライナー１４の側板１４ａにビス１６，１６・・・により固定する。
【００２２】
次いで、他の本発明に係る間仕切りパネル１を上記と同様に下ライナー１３のの側板１３ａ、上ライナー１４の側板１４ａに建込んで固定する。この際、本発明に係る間仕切りパネル１，１を隣接設置する目地部Ａにおいては、先に設置したパネル１の長辺小口１ａから突出する補強材３の幅方向一部３ａを、後に隣接設置するパネル１の長辺小口１ｂに存在する２枚の石膏ボード２，２間に形成される凹部４に挿入し、パネル１，１間の目地部Ａに隙間が生じないように固定する。
【００２３】
上記の作業を繰り返し、下ライナー１３及び上ライナー１４の一方の側板１３ａ，１４ａ側の間仕切り壁１０ａを構築し、必要に応じて構築した間仕切り壁１０ａの背後にグラスウール、ロックウール等の耐火充填材１７を充填する。
【００２４】
続いて、下ライナー１３、上ライナー１４の他方の側板１３ｂ，１４ｂ側の  間仕切り壁１０ｂを、図４に示したように本発明に係る間仕切りパネル１を用いて上記と同様の方法で構築する。この際、先に構築した間仕切り壁１０ａの目地部Ａと間仕切り壁１０ｂの目地部Ａとは、図６の横断面図に示したように重ならないように配置することが好ましい。
【００２５】
上記のようにして間仕切り壁１０の構築作業が終了した後、必要に応じて構築した両間仕切り壁１０ａ，１０ｂの各々の表面に更に他の石膏ボード１８，１８を重ね貼りし、その表面にクロス等の内装仕上げ材（図示せず）を貼設する。
【００２６】
上記した本発明に係る間仕切り壁１０の厚さ寸法としては、例えば、間仕切りパネル１として上記した板厚４０ｍｍのパネルを使用し、下ライナー１３及び上ライナー１４として幅５０ｍｍの断面コ字形状の軽量鉄骨を使用し、９．５ｍｍの板厚の石膏ボード１８を重ね貼りした場合、厚さ１５０ｍｍ程度の間仕切り壁１０を構築することができる。
【００２７】
以上、本発明に係る間仕切りパネル及び間仕切り壁の実施の形態を説明したが、本発明は、何ら既述の実施の形態に限定されず、本発明の技術的思想の範囲内において、種々の変形及び変更が可能である。
【００２８】
例えば、上記実施の形態においては、石膏ボードの長手方向に沿って２本の補強材を配置したパネルについて説明したが、当然２本を超える補強材を配置しても良く、またその中の数本を石膏ボードの幅方向に配置しても良い。
また、上記実施の形態においては、接合する２枚の石膏ボードを同一厚さとしたが、板厚の異なる石膏ボードを接合しても良く、また密度等の品質の異なる石膏ボードを接合したパネルとしても良い。
更に、上記実施の形態においては、下ライナーと上ライナーとの間に本発明に係る間仕切りパネルを自立させて固定したノンスタッド式の方法により構築した間仕切り壁につき説明したが、本発明に係る間仕切りパネルを従来公知の種々のノンスタッド式で構築した間仕切り壁が、本発明に係る間仕切り壁の範囲に含まれる。
【００２９】
【発明の効果】
以上に説明した本発明によれば、施工が容易で高い遮音性を得られる間仕切りパネル、及び該間仕切りパネル用いて構築した遮音性が高く、且つ表面平滑性に優れた間仕切り壁を、安価に且つ容易に提供できる効果がある。
【図面の簡単な説明】
【図１】本発明に係る間仕切りパネルの一実施の形態を示した斜視図である。
【図２】図１のＸ−Ｘ線に沿う部分の拡大断面図である。
【図３】本発明に係る間仕切りパネルを隣接設置した目地部の横断面図である。
【図４】本発明に係る間仕切り壁の構築途中の一実施の形態を示した斜視図である。
【図５】構築した本発明に係る間仕切り壁の一実施の形態を示した縦断面図である。
【図６】構築した本発明に係る間仕切り壁の一実施の形態を示した横断面図である。
【符号の説明】
１        間仕切りパネル
２        石膏ボード
３        補強材
４        凹部
５        ビス
１０      間仕切り壁
１１      床面
１２      天井面
１３      下ライナー
１４      上ライナー
１５      ビス
１６      ビス
１７      耐火充填材
１８      石膏ボード
Ａ        目地部
【図１】
2004176316.tif 000003
【図２】
2004176316.tif 000004
【図３】
2004176316.tif 000005
【図４】
2004176316.tif 000006
【図５】
2004176316.tif 000007
【図６】
2004176316.tif 000008